(57)【要約】【課題】回転軸の偏心部によるアンバランスの補正を容易に行える直流電動機のロータを得る。【解決手段】積層鉄心のコアー１と、このコアー１の中心部を貫通する回転軸２とを備えている。コアー１は，環状部１ａの内周に周方向に間欠的に複数の突出部１ｂを突設して菊座部１ｃが設ける。コアー１はその菊座部１ｃを回転軸２の外周に嵌め合わせて固定する。回転軸２には、その長手方向の一部に負荷駆動用の偏心部２ｂを設ける。回転軸２の偏心部２ｂによるアンバランスを補正するために、回転軸２にアンバランス補正部４を設ける。【選択図】　図１
2004032955.tif 000002
【特許請求の範囲】
【請求項１】
積層鉄心のコアーと、該コアーの中心部を貫通する回転軸とを備え、前記コアーは環状部の内周に周方向に間欠的に複数の突出部が突設されて菊座部が設けられ且つ前記環状部の外周に周方向に間欠的に複数の凸極部が突設されて構成され、前記コアーはその菊座部を前記回転軸の外周に嵌め合わせて固定され、前記回転軸にはその長手方向の一部に負荷駆動用の偏心部が設けられ、前記コアーの前記凸極部にはコイルが巻装されるようになっている直流電動機のロータにおいて、
前記回転軸の前記偏心部によるアンバランスを補正するために該回転軸にアンバランス補正部が設けられていることを特徴とする直流電動機のロータ。
【請求項２】
積層鉄心のコアーと、該コアーの中心部を貫通する回転軸とを備え、前記コアーは環状部の内周に周方向に間欠的に複数の突出部が突設されて菊座部が設けられ且つ前記環状部の外周に周方向に間欠的に複数の凸極部が突設されて構成され、前記コアーはその菊座部を前記回転軸の拡径部の外周に嵌め合わせて固定され、前記回転軸にはその長手方向の一部に負荷駆動用の偏心部が設けられ、前記コアーの前記凸極部にはコイルが巻装されるようになっている直流電動機のロータにおいて、
前記回転軸の前記偏心部によるアンバランスを補正するために前記拡径部にアンバランス補正部が設けられていることを特徴とする直流電動機のロータ。
【請求項３】
前記アンバランス補正部は、前記拡径部にＤカット部を設けて行われていることを特徴とする請求項２に記載の直流電動機のロータ。
【発明の詳細な説明】
【０００１】
【発明の属する技術分野】
本発明は、回転軸の長手方向の一部に負荷駆動用の偏心部が設けられている直流電動機のロータに関するものである。
【０００２】
【従来の技術】
従来のこの種の直流電動機のロータは、図２（Ａ）（Ｂ）に示すように、積層鉄心のコアー１と、該コアー１の中心部を貫通する回転軸２とを備えている。
【０００３】
コアー１は、環状部１ａの内周に周方向に間欠的に複数の突出部１ｂが突設されて菊座部１ｃが設けられ且つ環状部１ａの外周に周方向に間欠的に複数の凸極部１ｄが突設されて構成されている。
【０００４】
回転軸２は、コアー１の菊座部１ｃを固定する部分が拡径部２ａとして形成されている。即ち、コアー１の菊座部１ｃ内に回転軸２の拡径部２ａを圧入して固定されている。また、回転軸２にはその長手方向の一部に負荷駆動用の偏心部２ｂが設けられている。
【０００５】
コアー１の各凸極部１ｄには、図示しないがコイルが巻装されるようになっている。
【０００６】
かかる直流電動機のロータは、該ロータがその軸心の回りに回転する毎に負荷駆動用の偏心部２ｂが図示しないポンプのプランジーを押圧して該ポンプを駆動するようになっている。
【０００７】
このような直流電動機のロータでは、偏心部２ｂの存在によるアンバランスを補正するためにコアー１の特定の凸極部１ｄの先端に、コアー１の中心から角度θの範囲にコアー切欠け部３を設けていた。
【０００８】
【発明が解決しようとする課題】
しかしながら、このように回転軸２の偏心部２ｂによる偏心方向Ｄと、コアー１の特定の凸極部１ｄの先端にコアー切欠け部３の切欠け方向Ｅの角度合わせに精度を必要とするため、アンバランスの補正が難しい問題点があった。
【０００９】
本発明の目的は、回転軸の偏心部によるアンバランスの補正を容易に行える直流電動機のロータを提供することにある。
【００１０】
【課題を解決するための手段】
本発明は、積層鉄心のコアーと、該コアーの中心部を貫通する回転軸とを備え、コアーは環状部の内周に周方向に間欠的に複数の突出部が突設されて菊座部が設けられ且つ環状部の外周に周方向に間欠的に複数の凸極部が突設されて構成され、コアーはその菊座部を回転軸の外周に嵌め合わせて固定され、回転軸にはその長手方向の一部に負荷駆動用の偏心部が設けられ、コアーの凸極部にはコイルが巻装されるようになっている直流電動機のロータを対象とする。
【００１１】
本発明に係る直流電動機のロータでは、回転軸の偏心部によるアンバランスを補正するために該回転軸にアンバランス補正部が設けられていることを特徴とする。
【００１２】
このように回転軸の偏心部によるアンバランスを補正するために、該回転軸にアンバランス補正部を設けると、同じ回転軸で補正を行うのでアンバランスの補正を容易に行うことができる。
【００１３】
また本発明は、積層鉄心のコアーと、該コアーの中心部を貫通する回転軸とを備え、コアーは環状部の内周に周方向に間欠的に複数の突出部が突設されて菊座部が設けられ且つ環状部の外周に周方向に間欠的に複数の凸極部が突設されて構成され、コアーはその菊座部を回転軸の拡径部の外周に嵌め合わせて固定され、回転軸にはその長手方向の一部に負荷駆動用の偏心部が設けられ、コアーの凸極部にはコイルが巻装されるようになっている直流電動機のロータを対象とする。
【００１４】
本発明に係る直流電動機のロータでは、回転軸の偏心部によるアンバランスを補正するために拡径部にアンバランス補正部が設けられていることを特徴とする。
【００１５】
このように回転軸の偏心部によるアンバランスを補正するために、該回転軸の拡径部にアンバランス補正部を設けると、同じ回転軸で補正を行うのでアンバランスの補正を容易に行うことができる。また、回転軸の拡径部にアンバランス補正部を設けても、該拡径部にはコアーの環状部の内周の菊座部を嵌め合わせるので、菊座部は拡径部の外周の凹凸に倣わせて確実に固定することができる。
【００１６】
この場合、アンバランス補正部は、拡径部にＤカット部を設けて行うことが好ましい。このようにＤカット部でアンバランスを補正すると、アンバランスの補正効果が確実に現われて、補正を容易に行うことができる。
【００１７】
【発明の実施の形態】
図１（Ａ）（Ｂ）は本発明に係る直流電動機のロータの実施の形態の一例を示したもので、図１（Ａ）は本例の直流電動機のロータの一部縦断正面図、図１（Ｂ）は図１（Ａ）の右側面図である。なお、図２（Ａ）（Ｂ）と対応する部分には同一符号を付けて示している。
【００１８】
本例の直流電動機のロータでは、回転軸２の偏心部２ｂによるアンバランスを補正するために、該回転軸２の拡径部２ａにアンバランス補正部４が設けられている。本例では、アンバランス補正部４は、拡径部２ａにＤカット部を設けて行われている。その他の構成は、図２（Ａ）（Ｂ）と同様になっている。
【００１９】
このように回転軸２の偏心部２ｂによるアンバランスを補正するために、該回転軸２の拡径部２ａにアンバランス補正部４を設けると、同じ回転軸２で補正を行うのでアンバランスの補正を容易に行うことができる。また、回転軸２の拡径部２ａにアンバランス補正部４を設けても、該拡径部２ａにはコアー１の環状部１ａの内周の菊座部１ｃを嵌め合わせるので、菊座部１ｃは拡径部２ａの外周の凹凸に倣わせて確実に固定することができる。
【００２０】
この場合、アンバランス補正部４を、拡径部２ａにＤカット部を設けて行うと、アンバランスの補正効果が確実に現われて、補正を容易に行うことができる。
【００２１】
なお、アンバランス補正部４は、拡径部２ａの外周に１つ或いは複数のＶ溝を設けて行うこともできる。
【００２２】
上記例では、回転軸２の拡径部２ａにコアー１の菊座部１ｃを固定したが、回転軸２に拡径部２ａを設けずに、この回転軸２にコアー１の菊座部１ｃを固定してもよい。この場合、アンバランス補正部４は、回転軸２に直接設ける。
【００２３】
このようにしても、同じ回転軸２で補正を行うので、アンバランスの補正を容易に行うことができる。
【００２４】
【発明の効果】
本発明の直流電動機のロータでは、回転軸の偏心部によるアンバランスを補正するために該回転軸にアンバランス補正部が設けているので、同じ回転軸で補正を行うことができ、アンバランスの補正を容易に行うことができる。
【００２５】
また本発明に係る直流電動機のロータでは、回転軸の偏心部によるアンバランスを補正するために拡径部にアンバランス補正部が設けられているので、同じ回転軸で補正を行うのでアンバランスの補正を容易に行うことができる。また、回転軸の拡径部にアンバランス補正部を設けても、該拡径部にはコアーの環状部の内周の菊座部を嵌め合わせるので、菊座部は拡径部の外周の凹凸に倣わせて確実に固定することができる。
【００２６】
この場合、アンバランス補正部を、拡径部にＤカット部を設けて行うと、アンバランスの補正効果が確実に現われて、補正を容易に行うことができる。
【図面の簡単な説明】
【図１】（Ａ）（Ｂ）は本発明に係る直流電動機のロータの実施の形態の一例を示したもので、（Ａ）は本例の直流電動機のロータの一部縦断正面図、（Ｂ）は（Ａ）の右側面図である。
【図２】（Ａ）（Ｂ）は従来の直流電動機のロータを示したもので、（Ａ）はこの直流電動機のロータの一部縦断正面図、（Ｂ）は（Ａ）の右側面図である。
【符号の説明】
１　コアー
１ａ　環状部
１ｂ　突出部
１ｃ　菊座部
１ｄ　凸極部
２　回転軸
２ａ　拡径部
２ｂ　偏心部
３　コアー切欠け部
４　アンバランス補正部
【図１】
2004032955.tif 000003
【図２】
2004032955.tif 000004